(57)【要約】      （修正有）【課題】ハンドオーバが失敗しまたは無線リンクに障害が起きた場合、新たなターゲット基地局へのデータ転送を可能にする。【解決手段】基地局により、ハンドオーバを行うための候補基地局として１組の基地局を選択し、その１組の基地局から第１のターゲット基地局を選択し、基地局により、ゲートウェイからダウンリンク・データを、ユーザ機器からアップリンク・データを得て、基地局から第１のターゲット基地局にそのアップリンク・データおよびダウンリンク・データを転送する。ユーザ機器が、ハンドオーバまたは無線リンクの障害を検出したならば、第２のターゲット基地局に接続確立メッセージを伝送し、第２のターゲット基地局により基地局にメッセージを伝送する。そのメッセージは第２のターゲット基地局へのユーザ機器のアクセスを示し、その第２のターゲット基地局にアップリンク・データおよびダウンリンク・データを転送する。【選択図】図１
2014014155.tif 000002
【特許請求の範囲】
【請求項１】
移動通信システム（７００）におけるハンドオーバ中のデータ転送方法であって、前記移動通信システム（７００）は複数の基地局と１つの基地局（１０１、７０１）とを含み、前記基地局（１０７、７１０）がゲートウェイ（７０３）に結合され、ユーザ機器（７０２）と前記基地局（１０１、７０１）との間には電気通信リンクが確立されており、前記方法は、
前記基地局が、前記ユーザ機器のハンドオーバを行うための候補基地局として前記複数の基地局から１組の基地局を選択するステップと、
前記基地局が、前記１組の基地局からハンドオーバを行うための第１のターゲット基地局（１０２）を選択するステップ（１０１）と、
前記基地局が、ゲートウェイからダウンリンク・データ（１０６）を、ユーザ機器からアップリンク・データを得るステップと、
前記基地局から前記第１のターゲット基地局に前記アップリンク・データおよびダウンリンク・データを転送するステップ（１０９）と、
前記ユーザ機器が、ハンドオーバまたは無線リンクの障害を検出するステップと、
前記ユーザ機器が、前記１組の基地局のうちの第２のターゲット基地局に接続確立メッセージ（１０７）を伝送するステップと、
前記第２のターゲット基地局（１０３）が、前記ユーザ機器のアクセス要求を受け入れるステップと、
前記第２のターゲット基地局が、前記第２のターゲット基地局への前記ユーザ機器のアクセスを示すメッセージ（１１０）を前記基地局に伝送するステップと、
前記第２のターゲット基地局に前記アップリンク・データおよびダウンリンク・データを転送するステップ（１１３）とを含む、方法。
【請求項２】
前記基地局が、前記データを記憶手段の中に記憶するステップ（１０８）と、
前記基地局が、前記第１のターゲット基地局へのデータ転送を中止するステップ（１１１）とをさらに含み、
前記第２のターゲット基地局に前記転送するステップは、
前記基地局が、前記第２のターゲット基地局に前記記憶済みデータを転送するステップ（１１３）をさらに含む、請求項１に記載の方法。
【請求項３】
前記基地局が、前記第１のターゲット基地局へのデータ転送を中止するステップ（２０４）と、
前記基地局が、前記第１のターゲット基地局に前記データを要求するステップ（２０５）と、
前記基地局が、前記第１のターゲット基地局から前記データを得るステップ（２０６）とをさらに含み、
前記第２のターゲット基地局に前記転送するステップは、
前記基地局が、前記第２のターゲット基地局に前記データを転送するステップ（２０８）をさらに含む、請求項１に記載の方法。
【請求項４】
前記基地局が、前記第１のターゲット基地局から全てのデータが伝送されたことを示すエンド・マーカ・メッセージを得るステップと、
前記第２のターゲット基地局に転送する前に、前記基地局が、前記第１のターゲット基地局および前記ゲートウェイから得た前記データを並べ替えるステップ（２０７）とをさらに含む、請求項３に記載の方法。
【請求項５】
前記第２のターゲット基地局に前記データを転送するために、前記基地局が、前記第１のターゲット基地局に転送要求（３０４）を伝送するステップをさらに含み、
前記第２のターゲット基地局に前記転送するステップは、
前記第１のターゲット基地局が、前記第２のターゲット基地局に前記データを転送するステップ（３０６）と、
前記基地局が、前記第１のターゲット基地局に前記データを転送するステップ（３０２）とをさらに含む、請求項１に記載の方法。
【請求項６】
前記基地局が、前記第１のターゲット基地局へのデータ転送を中止するステップ（４０４）と、
前記第２のターゲット基地局に前記データを転送するために、前記基地局が、前記第１のターゲット基地局に転送要求（４０６）を伝送するステップとをさらに含み、
前記第２のターゲット基地局に前記転送するステップは、
前記第１のターゲット基地局が、前記第２のターゲット基地局に前記データを転送するステップ（４０８）と、
前記基地局が、前記第１のターゲット基地局に前記データを転送するステップ（４０２）とをさらに含む、請求項１に記載の方法。
【請求項７】
前記第２のターゲット基地局が、前記第１のターゲット基地局に前記データを要求するステップ（５０５）と、
前記第２のターゲット基地局が、前記第１のターゲット基地局から前記データを受信するステップとをさらに含む、請求項１に記載の方法。
【請求項８】
前記基地局が、前記第１のターゲット基地局へのデータ転送を中止するステップ（６０５）と、
前記第２のターゲット基地局が、前記第１のターゲット基地局に前記データを要求するステップ（６０７）と、
前記第２のターゲット基地局が、前記基地局に前記データを要求するステップ（６０４）と、
前記第２のターゲット基地局が、前記第１のターゲット基地局および前記基地局から前記データを受信するステップとをさらに含む、請求項１に記載の方法。
【請求項９】
前記第２の基地局が、前記第１のターゲット基地局から全てのデータが伝送されたことを示すエンド・マーカ・メッセージを得るステップと、
前記第２のターゲット基地局が、前記基地局および前記第１のターゲット基地局から受信された前記データを並べ替えるステップとをさらに含む、請求項６および８のいずれか１項に記載の方法。
【請求項１０】
前記基地局または前記ユーザ機器が、前記第２のターゲット基地局に第１のターゲット基地局識別（６０１）を伝送する、請求項７乃至９のいずれか１項に記載の方法。
【請求項１１】
移動通信システム（７００）のための基地局（７０１）であって、
前記基地局が、ユーザ機器のハンドオーバを行うための候補基地局として前記１組の基地局を選択する手段（７０４）と、
前記基地局が、前記１組の基地局からハンドオーバを行うための第１のターゲット基地局を選択する手段（７０５）と、
前記基地局が、ゲートウェイからダウンリンク・データを、ユーザ機器からアップリンク・データを得る手段（７０６）と、
前記基地局から前記第１のターゲット基地局に前記アップリンク・データおよびダウンリンク・データを転送する手段（７０７）と、
前記基地局が、第２のターゲット基地局への前記ユーザ機器のアクセスを示すメッセージを前記第２のターゲット基地局から受信する手段（７０８）と、
前記基地局が、前記アップリンク・データおよびダウンリンク・データを記憶手段の中に記憶する手段（７０９）と、
前記基地局が、前記第１のターゲット基地局へのデータ転送を中止する手段（７１０）と、
前記基地局が、前記第２のターゲット基地局に前記記憶済みデータを転送する手段（７１１）とを含む、基地局（７０１）。
【請求項１２】
移動通信システム（８００）のための基地局（８０１）であって、
第２のターゲット基地局が、ユーザ機器のアクセス要求を受け入れる手段（８０４）と、
前記第２のターゲット基地局が、前記第２のターゲット基地局への前記ユーザ機器のアクセスを示すメッセージを前記基地局に伝送する手段（８０５）と、
前記第２のターゲット基地局が、第１のターゲット基地局にデータを要求する手段（８０６）と、
前記第２のターゲット基地局が、前記第１のターゲット基地局から前記データを受信する手段（８０７）とを含む、基地局（８０１）。
【請求項１３】
前記第２のターゲット基地局が、前記基地局から前記データを受信する手段（８０８）と、
前記第２の基地局が、前記第１のターゲット基地局から全てのデータが伝送されたことを示すエンド・マーカ・メッセージを得る手段（８０９）と、
前記第２のターゲット基地局が、前記基地局および前記第１のターゲット基地局から受信された前記データを並べ替える手段（８１０）とをさらに含む、請求項１２に記載の基地局。
【請求項１４】
請求項１乃至１０のいずれか１項による方法を実行するように動作可能な、移動通信システム（７００、８００）。
【請求項１５】
記憶媒体上に記憶されたコンピュータ・プログラム製品（８１１）であって、基地局上で前記プログラムが実行されるとき、請求項１乃至１０のいずれか１項による方法を前記基地局に実行させるための実行可能プログラム手段を含む、コンピュータ・プログラム製品（８１１）。
【発明の詳細な説明】
【技術分野】
【０００１】
本発明は、移動通信システムにおけるハンドオーバ中のデータ転送方法、基地局、移動通信システム、およびコンピュータ・プログラム製品に関する。
【背景技術】
【０００２】
セルラ・ネットワークでは、１つのセルが典型的にはいくつかの隣接セルを有する。ハンドオーバ手順は、あるセルから別のセルへの境界をユーザ機器が横断するときに呼が継続することを可能にする。ハンドオーバの基本概念は、ユーザ端末があるセルのカバレッジ・エリアから別のセルのカバレッジ・エリアに移動するとき、ターゲット・セルへの新たな接続がセットアップされ、前のセルへの接続を解放することができるものである。このハンドオーバの間、シグナリング・メッセージの遅延によって引き起こされ、または候補基地局およびソース基地局とのシグナリング中の問題によって引き起こされる、データ途切れ（ｄａｔａ  ｉｎｔｅｒｒｕｐｔｉｏｎ）が発生することがある。
【０００３】
概して、セルラ無線システムにおいてユーザ機器があるセルから別のセルに移動し、ハンドオーバが行われるとき、そのハンドオーバはハード・ハンドオーバまたはソフト・ハンドオーバとして述べることができる。ハード・ハンドオーバの間、新たな接続をセットアップする前に前の接続は切断される。したがって、データ途切れの問題を減らすためにハンドオーバ・マージンが使用される。しかし、そのような場合、ハンドオーバ・マージン、およびハンドオーバ手順の遅延が原因で、基地局接続を利用することができない。ソフト・ハンドオーバの間、更新マージンも使用される。
【０００４】
さらに、基地局を識別し、移動通信システム内のアクティブ・セットを形成するためにパイロット信号が使用される。このパイロット信号は、各基地局により各基地局のサービス・カバレッジ・エリアを越えて絶えず伝送される。このパイロット信号は互いに異なるので、ユーザ機器はこのパイロット信号に基づいて基地局を識別することができる。ユーザ機器はパイロット信号を絶えず測定し、そのユーザ機器の近くに位置しハンドオーバまたは接続を確立するための可能な候補である基地局、および対応するパイロット信号の信号品質水準についての測定リストを保持する。
【０００５】
その測定リスト上の基地局は、サービス提供基地局になることができる候補群を形成する。ユーザ機器は、その測定リスト上にある基地局のパイロット信号だけをモニタすることができる。ユーザ機器が移動するとき、測定リストが必要に応じて更新される。更新プロセスは、パイロット信号の強度に基づき、ユーザ機器の測定に応じて実行され、つまり、基地局により伝送されるパイロット信号が十分な強度で受信される場合、その基地局は測定リストに追加される。
【発明の概要】
【課題を解決するための手段】
【０００６】
本発明は、移動通信システムにおけるハンドオーバ中のデータ転送方法に関し、その移動通信システムは、複数の基地局と１つの基地局であって、ゲートウェイに結合されている、１つの基地局とを含み、ユーザ機器と基地局との間には電気通信リンクが確立されており、この方法は、基地局により、ユーザ機器のハンドオーバを行うための候補基地局として複数の基地局から１組の基地局を選択するステップと、基地局により、その１組の基地局からハンドオーバを行うための第１のターゲット基地局を選択するステップとを含む。
【０００７】
この方法は、基地局により、ゲートウェイからダウンリンク・データを、ユーザ機器からアップリンク・データを得るステップと、基地局から第１のターゲット基地局にそのアップリンク・データおよびダウンリンク・データを転送するステップと、ユーザ機器が、ハンドオーバまたは無線リンクの障害を検出するステップと、ユーザ機器が１組の基地局のうちの第２のターゲット基地局に接続確立メッセージを伝送するステップと、第２のターゲット基地局によりユーザ機器のアクセス要求を受け入れるステップと、第２のターゲット基地局により基地局にメッセージを伝送するステップであって、そのメッセージは第２のターゲット基地局へのユーザ機器のアクセスを示す、伝送するステップと、その第２のターゲット基地局にアップリンク・データおよびダウンリンク・データを転送するステップとをさらに含む。本発明の複数の利点のうちの１つは、ハンドオーバが失敗しまたは無線リンクに障害が起きた場合、本発明が新たなターゲット基地局へのデータ転送を可能にすることである。
【０００８】
本明細書で使用するとき、用語「基地局」は、ユーザ機器とデータを交換することができる任意の種類の固定されたネットワーク要素を指す。本明細書で使用するとき、用語「ユーザ機器」は、無線通信リンク上で無線通信ネットワークとデータを交換することができる任意の種類の固定されたまたは可動性（もしくは携帯型）の通信端末を指す。結果として、ユーザ機器は、とりわけ、ローカル・ルータもしくはサーバに接続され、無線通信インターフェイスを備える電話もしくはデスクトップ・コンピュータ、携帯電話、無線通信インターフェイスを備えるラップトップ・コンピュータもしくは携帯情報端末（すなわちＰＤＡ）、無線通信インターフェイスを備えるサーバもしくはローカル・ルータ、高周波無線受信機、または地上もしくは衛星テレビ受信機とすることができる。
【０００９】
一実施形態によれば、この方法は、
基地局によりデータを記憶手段の中に記憶するステップと、
基地局により第１のターゲット基地局へのデータ転送を中止するステップと
をさらに含む。
第２のターゲット基地局に転送するステップは、
基地局により、第２のターゲット基地局に記憶済みデータを転送するステップ
をさらに含む。
【００１０】
一実施形態によれば、この方法は、
基地局により第１のターゲット基地局へのデータ転送を中止するステップと、
基地局により第１のターゲット基地局にデータを要求するステップと、
基地局により第１のターゲット基地局からデータを得るステップと
をさらに含む。
第２のターゲット基地局に転送するステップは、
基地局により第２のターゲット基地局にデータを転送するステップ
をさらに含む。
【００１１】
一実施形態によれば、この方法は、
第１のターゲット基地局から全てのデータが伝送されたことを示すエンド・マーカ・メッセージ（ｅｎｄ  ｍａｒｋｅｒ  ｍｅｓｓａｇｅ）を基地局により得るステップと、
第２のターゲット基地局に転送する前に、基地局により、第１のターゲット基地局およびゲートウェイから得たデータを並べ替える（ｒｅｏｒｄｅｒｉｎｇ）ステップと
をさらに含む。
【００１２】
一実施形態によれば、この方法は、
第２のターゲット基地局にデータを転送するために、基地局により第１のターゲット基地局に転送要求を伝送するステップをさらに含む。第２のターゲット基地局に転送するステップは、
第１のターゲット基地局により、第２のターゲット基地局にデータを転送するステップと、
基地局により、第１のターゲット基地局にデータを転送するステップと
をさらに含む。
【００１３】
一実施形態によれば、この方法は、
基地局により第１のターゲット基地局へのデータ転送を中止するステップと、
第２のターゲット基地局にデータを転送するために、基地局により第１のターゲット基地局に転送要求を伝送するステップと
をさらに含む。
第２のターゲット基地局に転送するステップは、
第１のターゲット基地局により第２のターゲット基地局にデータを転送するステップと、
基地局により第１のターゲット基地局にデータを転送するステップと
をさらに含む。
【００１４】
一実施形態によれば、この方法は、
第２のターゲット基地局により第１のターゲット基地局にデータを要求するステップと、
第２のターゲット基地局により第１のターゲット基地局からデータを受信するステップと
をさらに含む。
【００１５】
一実施形態によれば、この方法は、
基地局により第１のターゲット基地局へのデータ転送を中止するステップと、
第２のターゲット基地局により第１のターゲット基地局にデータを要求するステップと、
第２のターゲット基地局により基地局にデータを要求するステップと、
第２のターゲット基地局によりその第１のターゲット基地局および基地局からデータを受信するステップと
をさらに含む。
【００１６】
一実施形態によれば、この方法は、
第２の基地局により、第１のターゲット基地局から全てのデータが伝送されたことを示すエンド・マーカ・メッセージを得るステップと、
第２のターゲット基地局により、基地局および第１のターゲット基地局から得たデータを並べ替えるステップと
をさらに含む。
【００１７】
一実施形態によれば、基地局またはユーザ機器により、第２のターゲット基地局に第１のターゲット基地局識別を伝送する。
【００１８】
別の態様では、本発明は、移動通信システム向けの基地局に関し、その基地局は、
基地局により、ユーザ機器のハンドオーバを行うための候補基地局として１組の基地局を選択するための手段と、
基地局により、その１組の基地局からハンドオーバを行うための第１のターゲット基地局を選択するための手段と、
基地局により、ゲートウェイからダウンリンク・データを、ユーザ機器からアップリンク・データを得るための手段と、
基地局から第１のターゲット基地局にそのアップリンク・データおよびダウンリンク・データを転送するための手段と、
基地局により、第２のターゲット基地局からメッセージを受信するための手段であって、そのメッセージは第２のターゲット基地局へのユーザ機器のアクセスを示す、受信するための手段と、
基地局により、アップリンク・データおよびダウンリンク・データを記憶手段の中に記憶するための手段と、
基地局により、第１のターゲット基地局へのデータ転送を中止するための手段と、
基地局により、第２のターゲット基地局に記憶済みデータを転送するための手段と
を含む。
【００１９】
別の態様では、本発明は、移動通信システム向けの基地局に関し、その基地局は、
第２のターゲット基地局により、そのユーザ機器のアクセス要求を受け入れるための手段と、
第２のターゲット基地局により基地局にメッセージを伝送するための手段であって、そのメッセージは第２のターゲット基地局へのユーザ機器のアクセスを示す、伝送するための手段と、
第２のターゲット基地局により、第１のターゲット基地局にデータを要求するための手段と、
第２のターゲット基地局により、第１のターゲット基地局からデータを受信するための手段と
を含む。
【００２０】
一実施形態では、この基地局は、
第２のターゲット基地局により、基地局からデータを受信するための手段と、
第２の基地局により、第１のターゲット基地局から全てのデータが伝送されたことを示すエンド・マーカ・メッセージを得るための手段と、
第２のターゲット基地局により、基地局および第１のターゲット基地局から受信されたデータを並べ替えるための手段と
をさらに含む。
【００２１】
別の態様では、本発明は、上記の実施形態のいずれかによる方法を実行するように動作可能な移動通信システムに関する。
【００２２】
別の態様では、本発明は、記憶媒体上に記憶されたコンピュータ・プログラム製品であって、基地局上でそのプログラムが実行されるとき、上記の実施形態のいずれかによる方法をその基地局に実行させるための実行可能プログラム手段を含む、コンピュータ・プログラム製品に関する。
【００２３】
以下に、図面を参照しながら専ら例として本発明の好ましい実施形態をより詳細に説明する。
【図面の簡単な説明】
【００２４】
【図１】ユーザ機器と複数の基地局との間のシグナリングの一実施形態の図である。
【図２】ユーザ機器と基地局との間のシグナリングのさらなる実施形態の図である。
【図３】ユーザ機器と複数の基地局との間のシグナリングのさらなる実施形態の図である。
【図４】データ転送方法の別の実施形態の図である。
【図５】本発明のデータ転送方法のさらなる実施形態を示す図である。
【図６】データ転送方法のさらなる実施形態を表す図である。
【図７】移動通信システム内の基地局の一実施形態のブロック図である。
【図８】移動通信システム内の基地局のさらなる実施形態のブロック図である。
【発明を実施するための形態】
【００２５】
図１は、移動通信システムにおけるデータ転送方法の一実施形態の図１００を示す。この移動通信システムは、基地局１０１、第１のターゲット基地局１０２、第２のターゲット基地局１０３、およびゲートウェイ１０４を含む。まず、基地局１０１とユーザ機器１０５との間に電気通信リンクが確立される。
【００２６】
ユーザ機器１０５は、ユーザ機器１０５のハンドオーバを行うための候補基地局として使用することができる、近隣基地局の信号品質を示す測定報告を基地局に絶えず伝送する。伝送される測定報告のうちの１つが、単一のまたは複数のハンドオーバ準備をトリガし、したがって、基地局は、例えばユーザ機器１０５が伝送する測定報告を使用し、それらの近隣基地局のうちの少なくとも１つに少なくとも１つのハンドオーバ要求を送信する。基地局１０１は、それらの基地局のうちの少なくとも１つのハンドオーバ要求肯定応答を受信する。基地局１０１は、ユーザ機器のハンドオーバを行うための候補基地局として、複数の基地局から１つの基地局または１組の基地局を選択する。その選択される１組の基地局は、その基地局にハンドオーバ要求肯定応答を伝送した基地局に相当する。次いで、基地局１０１が、その１組の基地局からハンドオーバを行うための第１のターゲット基地局１０２を選択する。
【００２７】
基地局１０１とユーザ機器１０５との間の通常通信の間、基地局１０１は、ゲートウェイからのダウンリンク・データ１０６およびユーザ機器１０５からのアップリンク・データを絶えず得る。基地局１０１が第１のターゲット基地局を選択すると、基地局１０１は、ユーザ機器１０５にハンドオーバ・コマンドを送り、基地局１０１から第１のターゲット基地局１０２へのアップリンク・データおよびダウンリンク・データの転送を開始する。その一方で、かつ順不同で、無線リンクの障害またはハンドオーバの失敗が原因で、ユーザ機器１０５が第１のターゲット基地局１０２にアクセスできない場合、ユーザ機器１０５は、基地局１０１によって準備されている１組の基地局のうちの第２のターゲット基地局に同期することを要求し、接続再確立メッセージを伝送する（１０７）ことができる。
【００２８】
一実施形態では、基地局１０１は、データ１０６を第１のターゲット基地局１０２に転送する（１０９）前に、データ１０６のコピーを取っておく（１０８）ことができる。次いで、第２のターゲット基地局１０３が、ユーザ機器１０５のアクセス要求を受け入れ、基地局１０１にメッセージ１１０を伝送する。このメッセージ１１０は、第２のターゲット基地局１０３へのユーザ機器１０５のアクセスを示す。さらに、基地局１０１が、第１のターゲット基地局１０２へのデータ転送を中止する（１１１）。次いで、基地局１０１は、第１のターゲット基地局１０２にハンドオーバ・キャンセル・メッセージ１１２を伝送し、コピーしたデータおよび新たなデータを第２のターゲット基地局１０３に転送し始める（１１３）。
【００２９】
図２は、移動通信システムにおけるデータ転送方法の一実施形態の図２００を示す。
【００３０】
基地局１０１は、ユーザ機器１０５からアップリンク・データを、ゲートウェイ１０４からダウンリンク・データ１０６を絶えず受信する。ユーザ機器１０５が、無線リンクの障害またはハンドオーバの失敗を検出した後、かつ第１のターゲット基地局１０２にアクセスできない場合、ユーザ機器１０５は、ハンドオーバを行うために基地局１０１により前もって準備されている第２のターゲット基地局１０３に接続確立メッセージを伝送する。その一方で、基地局１０１は、第１のターゲット基地局１０２へのアップリンク・データおよびダウンリンク・データのデータ転送２０２を開始している。
【００３１】
このデータ転送２０２は、第２のターゲット基地局１０３から基地局１０１にメッセージが到達するまで続き、そのメッセージ２０３は、第２のターゲット基地局１０３へのユーザ機器１０５のアクセスを識別する。基地局１０１は、そのメッセージを受信した後、第１のターゲット基地局へのデータ転送２０２を中止する（２０４）。さらに、基地局１０１は、第１のターゲット基地局１０２から基地局１０１に、転送済みデータを返すように要求する（２０５）。基地局１０１は、その要求したデータを得る（２０６）。新たなダウンリンク・データが基地局１０１に到達している可能性があるので、第１のターゲット基地局１０２によって受信されたデータとともに、並べ替え手順２０７が開始される。この並べ替え手順２０７は、ゲートウェイから受信されたデータ、第１のターゲット基地局から受信されたデータ、およびターゲット基地局のいずれにもまだ転送されていないデータを並べ替える。
【００３２】
最後に、基地局１０１が、その逆方向データおよび新たなデータを第２のターゲット基地局１０３に転送し始める（２０８）。この実施形態の複数の利点のうちの１つは、ハンドオーバまたは無線リンクの障害により、ユーザ機器が最初に選択されたターゲット基地局にアクセスできなくなる場合に、既に転送されたアップリンク・データおよびダウンリンク・データを記憶することを基地局が要求しないことである。
【００３３】
図３は、移動通信システムにおけるデータ転送方法の一実施形態の図３００を示す。通常のアクティブな呼の間、およびハンドオーバ手順の間にも、基地局１０１は、ユーザ機器１０５からのアップリンク・データおよびゲートウェイ１０４からのダウンリンク・データを得る。無線リンクまたはハンドオーバに障害が起きた場合、ユーザ機器は、最初に選択されたターゲット基地局１０２にアクセスできなくなる可能性があり、再確立メッセージを使用し、第２のターゲット基地局１０３へのアクセス（３０１）を要求するよう求めることができる。
【００３４】
メッセージ３０３が第２のターゲット基地局１０３から到達し、基地局１０１によって受信されるまで、基地局１０１が受信するアップリンク・データおよびダウンリンク・データ１０６は、最初に選択されたターゲット基地局１０２に転送される（３０２）。メッセージ３０３は、例えばユーザ機器コンテキスト解放に相当することができ、またはユーザ機器が第２のターゲット基地局１０３にアクセスしたことを示すことができる。
【００３５】
第２のターゲット基地局１０３からメッセージ３０３を受信した後、基地局１０１から受信された全てのデータを第２のターゲット基地局１０３に転送するように第１のターゲット基地局１０２に命令する、転送要求３０４を第１のターゲット基地局１０２に伝送する。基地局１０１が伝送するコマンドは、基地局１０１から既に受信されたデータを転送する（３０５）ためのコマンドも含む。次いで、第１のターゲット基地局１０２が、既に受信されたデータおよび新たなデータを第２のターゲット基地局１０３に転送し始める（３０６）。
【００３６】
図４は、移動通信システムにおけるデータ転送方法のさらなる実施形態の図４００を示す。基地局１０１とユーザ機器１０５との間の通信中、ユーザ機器１０５から基地局１０１にアップリンク・データが受信され、ゲートウェイ１０４から基地局１０１にダウンリンク・データ１０６が伝送される。選択された第１のターゲット基地局１０２に対する第１のハンドオーバが失敗する場合、ユーザ機器１０５は、基地局１０１によりハンドオーバを行うために前もって準備されている場合がある第２のターゲット基地局１０３へのアクセス（４０１）を要求することができる。無線リンクまたはハンドオーバの障害を基地局１０１が知らされるまで、基地局１０１は、ゲートウェイおよびユーザ機器の両方から受信されたデータを、選択された第１のターゲット基地局１０２に転送する（４０２）。
【００３７】
第２のターゲット基地局１０３がユーザ機器１０５のアクセスを受け入れた後、第２のターゲット基地局１０３は、ユーザ機器が到達したことおよび第２のターゲット基地局へのアクセスを示すメッセージ４０３を基地局１０１に伝送する。メッセージ４０３は、例えばユーザ機器コンテキスト解放メッセージ、または第２のターゲット基地局１０３へのユーザ機器１０５のアクセスを直接もしくは間接的に示す任意のメッセージとすることができる。基地局１０１がそのメッセージを受信した後、基地局１０１は、第１のターゲット基地局１０２へのデータ転送を中止し（４０４）、第２のターゲット基地局１０３にデータを転送し始める（４０５）。同時に、基地局１０１は、第１のターゲット基地局１０２が第２のターゲット基地局１０３にデータを転送する（４０８）よう、第１のターゲット基地局１０２に要求コマンド４０６を送信し、第１のターゲット基地局１０２が既に受信されたデータを順方向転送（ｆｏｒｗａｒｄ  ｔｒａｎｓｆｅｒ）する（４０７）ことを要求する。
【００３８】
その結果、第２のターゲット基地局１０３は、基地局１０１および第１のターゲット基地局１０２の両方からデータを受信し始める。第２のターゲット基地局により受信されたデータは、基地局１０１から既に転送されている、第１のターゲット基地局１０２から転送されたデータに相当し、さらに基地局１０１がゲートウェイおよび／またはユーザ機器１０４から直接受信された、基地局１０１により転送されたデータにも相当する。結果として、第２のターゲット基地局１０３は、基地局から受信されたデータ４０５および第１のターゲット基地局１０２から受信されたデータ４０８を、並べ替える（４０９）ことを必要とする場合がある。さらに、前述の第１のターゲット基地局１０２から前述の第２のターゲット基地局１０３に全てのデータが伝送されたことを示すエンド・マーカ・メッセージを、データ転送の終わりに伝送することができる。
【００３９】
図５は、移動通信システムにおけるデータ転送方法のさらなる実施形態の図５００を示す。ユーザ機器１０５と基地局１０１との間の典型的な通信の間、その基地局およびユーザ機器１０５に結合されたゲートウェイ１０４からデータ１０６が受信される。ユーザ機器１０５がハンドオーバを必要とする場合、基地局は、１組の候補基地局への複数のハンドオーバ準備を開始することができ、基地局１０１は、ハンドオーバを行うための第１のターゲット基地局１０２を選択する。このコンテキスト内で、および第１のターゲット基地局１０２を選択した後、基地局１０１は、第１のターゲット基地局１０２のアドレス５０１を少なくとも第２の基地局１０３に伝送することができる。アドレスは、例えばハンドオーバ準備メッセージの中に含めることができる。
【００４０】
ユーザ機器１０５が、無線リンクまたはハンドオーバの障害が原因で第１のターゲット基地局１０２にアクセスできない場合、ユーザ機器１０５は、例えばＲＲＣ再確立メッセージ上で、第２の基地局１０３へのアクセス（５０２）を要求するよう求める。標準的なハンドオーバ手順の間、基地局１０１は、第１のターゲット基地局１０２を選択した後、ゲートウェイ１０４およびＵＥ１０５の両方から受信されたデータを、第１のターゲット基地局１０２に転送し始める（５０３）。
【００４１】
第２のターゲット基地局１０３がユーザ機器１０５のアクセスを受け入れた後、第２のターゲット基地局１０３は、例えばユーザ機器（ＵＥ）コンテキスト解放メッセージを使用し、ユーザ機器のアクセスを示すメッセージ５０４を基地局１０１に伝送する。次いで、基地局１０１から受信されたデータを第２のターゲット基地局１０３に転送するために、第２のターゲット基地局１０３は第１のターゲット基地局１０２に転送要求メッセージ５０５をさらに伝送する。第１のターゲット基地局１０２は、既に受信されたデータ５０３の転送５０６の編成を開始し、第２のターゲット基地局１０３にデータを転送し始める（５０７）。第１のターゲット基地局１０２は、二次的基地局へのハンドオーバ手順が完了するまで、基地局１０１からデータを受信し続ける（５０３）。
【００４２】
図６は、移動通信システムにおけるデータ転送方法の一実施形態の図６００を示す。
【００４３】
基地局１０１は、ユーザ機器１０５からアップリンク・データを、ゲートウェイ１０４からダウンリンク・データ１０６を受信する。複数のハンドオーバ準備の間、および第１のターゲット基地局１０２として候補基地局のうちの１つを選択した後、基地局１０１は、第１のターゲット基地局１０２のアドレス６０１を少なくとも第２の基地局１０３に伝送する。ユーザ機器１０５が、無線リンクまたはハンドオーバの障害が原因で第１のターゲット基地局１０２にアクセスできない場合、ユーザ機器１０５は、例えばＲＲＣ再確立メッセージを使用し、第２のターゲット基地局１０３へのアクセス（６０２）を要求する。基地局１０１は、第１のターゲット基地局１０２を選択した後、ユーザ機器１０５およびゲートウェイ１０４の両方から受信されたデータを、第１のターゲット基地局１０２に転送し始める（６０３）。
【００４４】
ユーザ機器１０５からのアクセス要求を第２のターゲット基地局１０３が受け入れた後、その基地局１０３は、第２のターゲット基地局１０３へのユーザ機器１０５のアクセスを示すメッセージ６０４を基地局１０１に伝送する。メッセージ６０４は、受信されたデータを第２のターゲット基地局１０３に転送することも基地局１０１に要求する。基地局１０１は、第２のターゲット基地局１０３からそのメッセージを受信した直後に、第１のターゲット基地局１０２にデータを転送することを中止し（６０５）、第２のターゲット基地局にデータを転送し始める（６０６）。
【００４５】
第２のターゲット基地局１０３は、基地局１０１から既に受信されたデータを第２のターゲット基地局１０３に転送するように命令する、転送要求メッセージ６０７も第１のターゲット基地局１０２に伝送する。第１のターゲット基地局１０２は、既に受信されたデータの転送（６０８）を開始し、第２のターゲット基地局１０３にそのデータを転送する（６０９）。さらに、前述の第１のターゲット基地局１０２から前述の第２のターゲット基地局１０３に全てのデータが伝送されたことを示すエンド・マーカ・メッセージを、データ転送の終わりに伝送することができる。また、第２のターゲット基地局は少なくとも２つの基地局からデータを受信しているので、第２のターゲット基地局１０３は、ハンドオーバ手順が完了し、第２のターゲット基地局がゲートウェイ１０４およびユーザ機器１０５から直接データを受信し始めるまで、データの順序付け６１０を開始する。
【００４６】
無線リンク障害シナリオでは、３つの起こり得る基本的なハンドオーバ失敗がある。最初のシナリオでは、ユーザ機器がハンドオーバの失敗を検出し、選択された第１のターゲット基地局ではなく、別の第２のターゲット基地局に接続する。第２のシナリオでは、ユーザ機器が、基地局におけるハンドオーバ段階中に無線リンク障害を検出し、第１のターゲット基地局ではなく、第２のターゲット基地局に接続する。最後に第３のシナリオでは、ユーザ機器が基地局におけるハンドオーバ段階においてではなく、ハンドオーバより前に無線リンク障害を検出し、第２のターゲット基地局に接続する。
【００４７】
図７は、移動通信システム７００を例示するブロック図を示す。この移動通信システム７００は、ユーザ機器７０２に結合され、ターゲット基地局７０３にも結合された基地局７０１を含む。基地局７０１は、
前述の基地局が、前述のユーザ機器のハンドオーバを行うための候補基地局として前述の１組の基地局を選択するためのモジュール７０４と、
前述の基地局が、前述の１組の基地局からハンドオーバを行うための第１のターゲット基地局を選択するためのモジュール７０５と、
前述の基地局が、ゲートウェイからダウンリンク・データを、ユーザ機器からアップリンク・データを得るためのモジュール７０６と、
前述の基地局から前述の第１のターゲット基地局に前述のアップリンク・データおよびダウンリンク・データを転送するためのモジュール７０７と、
前述の基地局が、前述の第２のターゲット基地局からメッセージを受信するためのモジュール７０８であって、前述のメッセージは第２のターゲット基地局への前述のユーザ機器のアクセスを示す、受信するためのモジュール７０８と、
前述の基地局が、前述のアップリンク・データおよびダウンリンク・データを記憶手段の中に記憶するためのモジュール７０９と、
前述の基地局が、前述の第１のターゲット基地局へのデータ転送を中止するためのモジュール７１０と、
前述の基地局が、前述の第２のターゲット基地局に前述の記憶済みデータを転送するためのモジュール７１１と
を含む。
【００４８】
図８は、ユーザ機器８０２およびターゲット基地局８０３に結合された基地局８０１を含む、移動通信システムを例示するブロック図８００を示す。基地局８０１は、
前述の第２のターゲット基地局が前述のユーザ機器のアクセス要求を受け入れるためのモジュール８０４と、
前述の第２のターゲット基地局により前述の基地局にメッセージを伝送するためのモジュール８０５であって、前述のメッセージは前述の第２のターゲット基地局への前述のユーザ機器のアクセスを示す、伝送するためのモジュール８０５と、
前述の第２のターゲット基地局が、前述の第１のターゲット基地局にデータを要求するためのモジュール８０６と、
前述の第２のターゲット基地局が、前述の第１のターゲット基地局から前述のデータを受信するためのモジュール８０７と、
前述の第２のターゲット基地局が、前述の基地局から前述のデータを受信するためのモジュール８０８と、
前述の第２の基地局が、前述の第１のターゲット基地局から全てのデータが伝送されたことを示すエンド・マーカ・メッセージを得るためのモジュール８０９と、
前述の第２のターゲット基地局が、前述の基地局および前述の第１のターゲット基地局から受信された前述のデータを並べ替えるためのモジュール８１０と、
上記の実施形態のいずれかによる方法を基地局８０１に実行させるための実行可能プログラム手段を含む、コンピュータ・プログラム・モジュール８１１と
を含む。
【符号の説明】
【００４９】
１００  図
１０１  基地局
１０２  第１のターゲット基地局
１０３  第２のターゲット基地局
１０４  ゲートウェイ
１０５  ユーザ機器
１０６  データ
１０７  再確立メッセージ
１０８  転送されるデータのコピーを取っておく
１０９  データ転送
１１０  メッセージ
１１１  データを中止する
１１２  ハンドオーバ・キャンセル
１１３  コピーしたデータを転送する
２００  図
２０１  順方向転送要求
２０２  データ転送
２０３  到達メッセージ
２０４  データを中止する
２０５  順方向転送要求
２０６  逆方向データ
２０７  データの並べ替え
２０８  逆方向データ転送
３００  図
３０１  再確立メッセージ
３０２  データ転送
３０３  到達メッセージ
３０４  順方向転送要求
３０５  データの転送
３０６  データ転送
４００  図
４０１  再確立メッセージ
４０２  データ転送
４０３  到達メッセージ
４０４  中止されたデータ
４０５  データ転送
４０６  順方向転送要求
４０７  既に受信されたデータの転送
４０８  データ転送
４０９  データの並べ替え
５００  図
５０１  第１のターゲット基地局のアドレス
５０２  再確立メッセージ
５０３  データ転送
５０４  到達メッセージ
５０５  順方向転送要求
５０６  データの転送
５０７  データ転送
６０１  第１のターゲット基地局のアドレス
６０２  再確立メッセージ
６０３  データ転送
６０４  到達メッセージ
６０５  データを中止する
６０６  データ転送
６０７  順方向転送要求
６０８  受信されたデータの転送
６０９  データの転送
６１０  データの並べ替え
７００  移動通信システム
７０１  基地局
７０２  ユーザ機器
７０３  ターゲット基地局
７０４〜７１１  モジュール
８００  移動通信システム
８０１  基地局
８０２  ユーザ機器
８０３  ターゲット基地局
８０４〜８１１  モジュール
【図１】
2014014155.tif 000003
【図２】
2014014155.tif 000004
【図３】
2014014155.tif 000005
【図４】
2014014155.tif 000006
【図５】
2014014155.tif 000007
【図６】
2014014155.tif 000008
【図７】
2014014155.tif 000009
【図８】
2014014155.tif 000010
【手続補正書】
【提出日】平成25年10月9日(2013.10.9)
【手続補正１】
【補正対象書類名】特許請求の範囲
【補正対象項目名】全文
【補正方法】変更
【補正の内容】
【特許請求の範囲】
【請求項１】
移動通信システムにおけるハンドオーバ中のデータ転送方法であって、前記方法は、
ソース基地局が、ユーザ機器のハンドオーバのための候補基地局として複数の別の基地局から第１及び第２の基地局を選択するステップを含み、前記ソース基地局と前記複数の別の基地局とが、移動通信システムを形成し、ゲートウエイに結合されており、電気通信リンクが、前記ソース基地局を介して前記ユーザ機器と前記ゲートウエイとの間に確立されており、さらに、
前記ソース基地局が、前記ユーザ機器の試みられたハンドオーバのための候補基地局から前記第１のターゲット基地局を選択するステップと、
前記ソース基地局が、前記ゲートウェイからダウンリンク・データを、前記ユーザ機器からアップリンク・データを得るステップと、
前記ソース基地局から前記第１のターゲット基地局に前記アップリンク・データおよび前記ダウンリンク・データを転送するステップと、
前記第１のターゲット基地局への前記試みられたハンドオーバとともに前記ユーザ機器がハンドオーバ障害または無線リンク障害を検出した後に前記ユーザ機器から接続確立メッセージを受信したことに応動して、前記候補基地局の前記第２のターゲット基地局が前記ユーザ機器からアクセス要求を受け入れた後に前記第２のターゲット基地局への前記ユーザ機器のアクセスを示す到着メッセージを前記候補基地局の前記第２のターゲット基地局から受信するステップと、
前記到着メッセージを受信したことに応動して前記アップリンク・データおよび前記ダウンリンク・データを前記第２のターゲット基地局に転送するステップとを含む、方法。
【請求項２】
前記ソース基地局が、前記アップリンク・データおよび前記ダウンリンク・データを記憶手段の中に記憶するステップと、
前記ソース基地局が、前記第１のターゲット基地局へのデータ転送を中止するステップとをさらに含み、
前記第２のターゲット基地局に転送する前記ステップは、
前記ソース基地局が、記憶された前記アップリンク・データおよび前記ダウンリンク・データを前記第２のターゲット基地局に転送するステップをさらに含む、請求項１に記載の方法。
【請求項３】
前記ソース基地局が、前記第１のターゲット基地局へのデータ転送を中止するステップと、
前記ソース基地局が、前記第１のターゲット基地局に前記アップリンク・データおよび前記ダウンリンク・データを要求するステップと、
前記ソース基地局が、前記第１のターゲット基地局から前記アップリンク・データおよび前記ダウンリンク・データを得るステップとをさらに含み、
前記第２のターゲット基地局に転送する前記ステップは、
前記ソース基地局が、得られた前記アップリンク・データおよび前記ダウンリンク・データを前記第２のターゲット基地局に転送するステップをさらに含む、請求項１に記載の方法。
【請求項４】
前記ソース基地局が、前記第１のターゲット基地局から前記ソース基地局へ全てのアップリンク・データおよびダウンリンク・データが伝送されたことを示すエンド・マーカ・メッセージを得るステップと、
前記第２のターゲット基地局に転送する前に、前記ソース基地局が、前記第１のターゲット基地局および前記ゲートウェイから得た前記アップリンク・データおよび前記ダウンリンク・データを並べ替えるステップとをさらに含む、請求項３に記載の方法。
【請求項５】
前記第１のターゲット基地局から前記第２のターゲット基地局に前記アップリンク・データおよび前記ダウンリンク・データを転送するために、前記ソース基地局から前記第１のターゲット基地局に転送要求を伝送するステップをさらに含み、
前記第２のターゲット基地局に転送する前記ステップは、
前記ソース基地局が、前記アップリンク・データおよび前記ダウンリンク・データを前記第１のターゲット基地局に転送するステップと、
前記第１のターゲット基地局から前記第２のターゲット基地局に前記アップリンク・データおよび前記ダウンリンク・データを転送するステップとをさらに含む、請求項１に記載の方法。
【請求項６】
前記ソース基地局が、前記第１のターゲット基地局へのデータ転送を中止するステップと、
前記第１のターゲット基地局から前記第２のターゲット基地局に前記アップリンク・データおよび前記ダウンリンク・データを転送するために、前記ソース基地局から前記第１のターゲット基地局に転送要求を伝送するステップとをさらに含み、
前記第２のターゲット基地局に転送する前記ステップは、
前記ソース基地局が、前記アップリンク・データおよび前記ダウンリンク・データを前記第２のターゲット基地局に転送するステップと、
前記第１のターゲット基地局から前記第２のターゲット基地局に前記アップリンク・データおよび前記ダウンリンク・データを転送するステップとをさらに含む、請求項１に記載の方法。
【請求項７】
前記第２のターゲット基地局が、前記第１のターゲット基地局に前記アップリンク・データおよび前記ダウンリンク・データを要求するステップと、
前記第２のターゲット基地局が、前記第１のターゲット基地局から前記アップリンク・データおよび前記ダウンリンク・データを受信するステップとをさらに含む、請求項１に記載の方法。
【請求項８】
前記ソース基地局が、前記第１のターゲット基地局へのデータ転送を中止するステップと、
前記第２のターゲット基地局が、前記第１のターゲット基地局に前記アップリンク・データおよび前記ダウンリンク・データを要求するステップと、
前記第２のターゲット基地局が、前記ソース基地局に前記アップリンク・データおよび前記ダウンリンク・データを要求するステップと、
前記第２のターゲット基地局が、前記第１のターゲット基地局および前記ソース基地局から前記アップリンク・データおよび前記ダウンリンク・データを受信するステップとをさらに含む、請求項１に記載の方法。
【請求項９】
前記第１のターゲット基地局から前記第２のターゲット基地局へ全てのアップリンク・データおよびダウンリンク・データが伝送されたことを示すエンド・マーカ・メッセージを前記第１のターゲット基地局から前記第２のターゲット基地局において得るステップと、
前記第２のターゲット基地局が、前記ソース基地局および前記第１のターゲット基地局から受信された前記アップリンク・データおよび前記ダウンリンク・データを並べ替えるステップとをさらに含む、請求項６に記載の方法。
【請求項１０】
前記ソース基地局が、前記第２のターゲット基地局に第１のターゲット基地局識別を伝送する、請求項７に記載の方法。
【請求項１１】
前記第１のターゲット基地局から前記第２のターゲット基地局へ伝送されるべき全てのアップリンク・データおよびダウンリンク・データが伝送されたことを示すエンド・マーカ・メッセージを前記第１のターゲット基地局から前記第２のターゲット基地局において得るステップと、
前記ソース基地局および前記第１のターゲット基地局から受信した前記アップリンク・データおよび前記ダウンリンク・データを前記第２のターゲット基地局で並べ替えるステップとをさらに含む、請求項８に記載の方法。
【請求項１２】
前記ソース基地局が、前記第２のターゲット基地局に第１のターゲット基地局識別を伝送する、請求項８に記載の方法。
【請求項１３】
請求項１乃至１２のいずれか１項による方法を実行するように動作可能な、移動通信システム。
【請求項１４】
ソース基地局上で実行されるとき、請求項１乃至１２のいずれか１項による方法を前記ソース基地局に実行させる、コンピュータ・プログラム。
【請求項１５】
移動通信システムのためのソース基地局であって、
ユーザ機器のハンドオーバのための候補基地局として、複数の別の基地局から第１および第２の基地局を選択するプロセッサを備え、前記ソース基地局と前記複数の別の基地局とが、移動通信システムを形成し、ゲートウエイに結合されており、電気通信リンクが、前記ソース基地局を介して前記ユーザ機器と前記ゲートウエイとの間に確立されており、前記プロセッサは、前記ユーザ機器の試みられたハンドオーバのための前記候補基地局から第１のターゲット基地局を選択をもするものであり、さらに、
前記ゲートウェイからダウンリンク・データを得る第１の受信器と、
前記ユーザ機器からアップリンク・データを得る第２の受信器と、
前記第１のターゲット基地局に前記アップリンク・データおよびダウンリンク・データを転送する送信器と、
前記候補基地局の第２のターゲット基地局から到着メッセージを受信する第３の受信器とを備え、前記到着メッセージは、前記第１のターゲット基地局への前記試みられたハンドオーバとともに前記ユーザ機器がハンドオーバ障害または無線リンク障害を検出した後に前記ユーザ機器から接続確立メッセージを受信したことに応動して、前記第２のターゲット基地局が前記ユーザ機器からアクセス要求を受け入れた後に前記第２のターゲット基地局への前記ユーザ機器のアクセスを示し、さらに、
前記アップリンク・データおよび前記ダウンリンク・データを記憶するコンピュータ読取可能媒体を備え、
前記プロセッサおよび前記送信器が、前記第１のターゲット基地局へのデータ転送を中止し、そして、前記到着メッセージを受信したことに応動して前記第２のターゲット基地局に前記憶されたアップリンク・データおよび前記ダウンリンク・データを転送するよう構成される、基地局。
【請求項１６】
移動通信システムのための第２のターゲット基地局であって、
ソース基地局から第１のターゲット基地局への試みられたハンドオーバとともにユーザ機器がハンドオーバ障害または無線リンク障害を検出した後に前記ユーザ機器からアクセス要求を受信する第１の受信器を備え、ソース基地局、第１のターゲット基地局、および第２のターゲット基地局は、移動通信システムを形成し、ゲートウエイに結合されており、電気通信リンクが、前記ソース基地局を介して前記ユーザ機器と前記ゲートウエイとの間に確立されており、さらに、
前記ユーザ機器の前記アクセス要求を受け入れるプロセッサと、
到着メッセージを前記ソース基地局に伝送する第１の送信器とを備え、前記到着メッセージは、前記第２のターゲット基地局への前記ユーザ機器のアクセスを示し、さらに、
前記ソース基地局から前記第１のターゲット基地局への前記試みられたハンドオーバとともに前記第１のターゲット基地局にアップリンク・データおよびダウンリンク・データを要求する第２の送信器を備え、前記アップリンク・データが、前記ユーザ機器から前記ソース基地局によって受信され、前記ダウンリンク・データが、前記ゲートウエイから前記ソース基地局によって受信され、そして、前記アップリンク・データおよび前記ダウンリンク・データが、前記試みられたハンドオーバとともに前記ソース基地局から前記第１のターゲット基地局へ転送され、さらに、
前記到着メッセージが伝送されたことに応動して第１のターゲット基地局から前記アップリンク・データおよび前記ダウンリンク・データを受信する第２の受信器を備える、第２のターゲット基地局。
【請求項１７】
前記ソース基地局は、前記到着メッセージを受信した後に前記第１のターゲット基地局への前記アップリンク・データおよび前記ダウンリンク・データの転送を中止し、前記第１の送信器もまた、前記到着メッセージの送信とともに前記ソース基地局にアップリンク・データおよびダウンリンク・データを要求するものであり、前記第２のターゲット基地局はさらに、
前記ソース基地局から前記アップリンク・データおよび前記ダウンリンク・データを受信する第３の受信器をさらに備える、請求項１６に記載の第２のターゲット基地局。
【請求項１８】
前記ソース基地局が、前記第２のターゲット基地局に第１のターゲット基地局識別を伝送する、請求項１６に記載の第２のターゲット基地局。
【請求項１９】
前記第２の受信器はまた、前記第１のターゲット基地局から前記第２の基地局へ伝送されるべき全てのアップリンク・データおよびダウンリンク・データが伝送されたことを示すエンド・マーカ・メッセージを得るものであり、前記プロセッサはまた、前記ソース基地局および前記第１のターゲット基地局から受信した前記アップリンク・データおよび前記ダウンリンク・データを並べ替えるものである、請求項１７に記載の第２のターゲット基地局。
【請求項２０】
前記ソース基地局が、前記第２のターゲット基地局に第１のターゲット基地局識別を伝送する、請求項１７に記載の第２のターゲット基地局。